(57)【要約】【課題】使用者が有害物質に曝されてしまう可能性を低減する。【解決手段】環境制御システムは、部屋１００に設置されたヒュームフード１０１と、ヒュームフード１０１の排気風量を調節する局所排気バルブＥＸＶと、外部からの指示に応じて局所排気バルブＥＸＶを閉じたシャットオフの状態とするコントローラ１０５と、ヒュームフード１０１が使用状態に入ったと判定し、かつ局所排気バルブＥＸＶがシャットオフの状態に入っているときに、シャットオフの状態を解除して局所排気バルブＥＸＶを開くコントローラ１０８とを備える。【選択図】  図１
2018146152.tif 000002
【特許請求の範囲】
【請求項１】
対象部屋に設置された局所排気装置と、
この局所排気装置の排気風量を調節するように構成された局所排気バルブと、
外部からの指示に応じて前記局所排気バルブを閉じたシャットオフの状態とするように構成されたシャットオフ制御部と、
前記局所排気装置が使用状態か否かを判定するように構成された判定部と、
前記局所排気装置が使用状態に入ったと前記判定部が判定し、かつ前記局所排気バルブが前記シャットオフの状態のときに、前記シャットオフの状態を解除して前記局所排気バルブを開くように構成されたシャットオフ解除部とを備えることを特徴とする環境制御システム。
【請求項２】
対象部屋へ吹き出す給気の風量を調節するように構成された給気バルブと、
前記対象部屋から吸い出す排気の風量を調節するように構成された一般排気バルブと、
前記対象部屋に設置された局所排気装置と、
この局所排気装置の排気風量を調節するように構成された局所排気バルブと、
外部からの指示に応じて前記給気バルブと前記一般排気バルブと前記局所排気バルブとを一斉に全て閉じた一斉シャットオフの状態とするように構成されたシャットオフ制御部と、
前記局所排気装置が使用状態か否かを判定するように構成された判定部と、
前記局所排気装置が使用状態に入ったと前記判定部が判定し、かつ前記給気バルブと前記一般排気バルブと前記局所排気バルブとが前記一斉シャットオフの状態のときに、前記一斉シャットオフの状態を解除して前記給気バルブと前記一般排気バルブと前記局所排気バルブとを開くシャットオフ解除部とを備えることを特徴とする環境制御システム。
【請求項３】
請求項１または２記載の環境制御システムにおいて、
前記判定部は、前記局所排気装置のサッシの開口部高さが所定の閾値を下回っているときには前記局所排気装置が使用されていないと判定し、前記サッシの開口部高さが前記閾値以上のときには前記局所排気装置が使用されていると判定することを特徴とする環境制御システム。
【請求項４】
請求項１または２記載の環境制御システムにおいて、
前記局所排気装置に設けられた人検知センサをさらに備え、
前記判定部は、前記人検知センサが人の存在を検知しないときには前記局所排気装置が使用されていないと判定し、前記人検知センサが人の存在を検知したときには前記局所排気装置が使用されていると判定することを特徴とする環境制御システム。
【請求項５】
請求項１または２記載の環境制御システムにおいて、
前記局所排気装置に設けられた照度センサをさらに備え、
前記判定部は、前記照度センサによる明るさの検知結果から前記対象部屋の照明が消えていると判断できる場合には前記局所排気装置が使用されていないと判定し、前記照度センサの検知結果から前記対象部屋の照明が点灯していると判断できる場合には前記局所排気装置が使用されていると判定することを特徴とする環境制御システム。
【請求項６】
請求項１または２記載の環境制御システムにおいて、
前記判定部は、前記対象部屋の照明スイッチがオフの場合には前記局所排気装置が使用されていないと判定し、前記照明スイッチがオンの場合には前記局所排気装置が使用されていると判定することを特徴とする環境制御システム。
【請求項７】
請求項１または２記載の環境制御システムにおいて、
前記判定部は、在室管理システムから得られる在室情報により前記対象部屋の在室人数が０と判断できる場合には前記局所排気装置が使用されていないと判定し、前記在室情報から前記対象部屋に人が居ると判断できる場合には前記局所排気装置が使用されていると判定することを特徴とする環境制御システム。
【請求項８】
対象部屋の局所排気装置の排気風量を調節する局所排気バルブを、外部からの指示に応じて閉じたシャットオフの状態とする第１のステップと、
前記局所排気装置が使用状態か否かを判定する第２のステップと、
前記局所排気装置が使用状態に入ったと前記第２のステップで判定し、かつ前記局所排気バルブが前記シャットオフの状態のときに、前記シャットオフの状態を解除して前記局所排気バルブを開く第３のステップとを含むことを特徴とする環境制御方法。
【請求項９】
対象部屋へ吹き出す給気の風量を調節する給気バルブと前記対象部屋から吸い出す排気の風量を調節する一般排気バルブと前記対象部屋の局所排気装置の排気風量を調節する局所排気バルブとを、外部からの指示に応じて一斉に全て閉じた一斉シャットオフの状態とする第１のステップと、
前記局所排気装置が使用状態か否かを判定する第２のステップと、
前記局所排気装置が使用状態に入ったと前記第２のステップで判定し、かつ前記給気バルブと前記一般排気バルブと前記局所排気バルブとが前記一斉シャットオフの状態のときに、前記一斉シャットオフの状態を解除して前記給気バルブと前記一般排気バルブと前記局所排気バルブとを開く第３のステップとを含むことを特徴とする環境制御方法。
【発明の詳細な説明】
【技術分野】
【０００１】
本発明は、研究施設、病院、工場などにおいて発生する有害物質を局所排気するヒュームフード等の局所排気装置の排気風量を制御する環境制御システムに関するものである。
【背景技術】
【０００２】
環境制御システムは、研究施設、病院、工場などにおいて、安全管理や品質保証のために、室内空気の温度、湿度、圧力、気流、清浄度などを厳密に制御するためのシステムである。このクリティカル環境システムでは、化学実験等で発生する有害物質の室内への拡散を防止し、人体への汚染を防ぐ装置としてヒュームフード（ドラフトチャンバー）が使用されている。
【０００３】
ヒュームフードは、上下または左右に開閉可能なサッシドア付きの囲い（エンクロージャ）を備えており、使用者はこのサッシドアからエンクロージャ内にアクセスすることができる。ヒュームフードで作業中の使用者が有害なガスや粉塵等に曝されないようにするために、エンクロージャは局所排気ダクトに接続されてエンクロージャ内で発生した有害物質を局所排気ダクトを通じて排出している。そして、局所排気ダクトには、排気風量を調整する局所排気バルブが設けられている（特許文献１参照）。
【０００４】
この局所排気バルブをシャットオフ位置まで閉める状況として、以下の２つの場合が考えられる。
（I）ヒュームフードを使用をしないときに、このヒュームフードに接続された局所排気バルブを個別にシャットオフ位置まで閉める場合。
（II）ヒュームフードが設置された部屋の一時的な不使用時に省エネルギーを図るため、あるいは部屋の滅菌・消毒作業のために、局所排気バルブを含む室内全てのバルブをシャットオフ位置まで閉める場合。
【０００５】
局所排気バルブを個別にシャットオフ位置まで閉める状況としては、局所排気バルブの接点入力に接続されたスイッチ等が操作された場合、あるいはヒュームフードモニタが操作された場合がある。
また、室内全てのバルブを一斉にシャットオフ位置まで閉める状況としては、室内全てのバルブを制御する制御装置の接点入力に接続されたスイッチ等が操作された場合、人検知センサが一定時間以上人の存在を検知しない場合、在室管理システムから得られる在室情報により在室人数が一定時間以上０と判定された場合がある。特許文献１に開示された技術では、このような状況で、室内全てのバルブを一斉に閉めるようにしている。
【０００６】
上述のようにヒュームフードに接続された局所排気バルブがシャットオフ位置まで閉まっているときに、使用者がヒュームフードのサッシを開けて薬品を取り扱った場合、局所排気バルブが閉まっているために排気がなされず、使用者が有害物質に曝されてしまう可能性があった。特に局所排気バルブの接点入力、あるいは制御装置の接点入力により局所排気バルブがシャットオフ動作に入っていた場合には、局所排気バルブが閉まっていることを使用者が気付かずにヒュームフードの使用を開始してしまう可能性があった。
【先行技術文献】
【特許文献】
【０００７】
【特許文献１】特許第６０２７３７７号公報
【発明の概要】
【発明が解決しようとする課題】
【０００８】
本発明は、上記課題を解決するためになされたもので、使用者が有害物質に曝されてしまう可能性を低減することができる環境制御システムおよび方法を提供することを目的とする。
【課題を解決するための手段】
【０００９】
本発明の環境制御システムは、対象部屋に設置された局所排気装置と、この局所排気装置の排気風量を調節するように構成された局所排気バルブと、外部からの指示に応じて前記局所排気バルブを閉じたシャットオフの状態とするように構成されたシャットオフ制御部と、前記局所排気装置が使用状態か否かを判定するように構成された判定部と、前記局所排気装置が使用状態に入ったと前記判定部が判定し、かつ前記局所排気バルブが前記シャットオフの状態のときに、前記シャットオフの状態を解除して前記局所排気バルブを開くように構成されたシャットオフ解除部とを備えることを特徴とするものである。
【００１０】
また、本発明の環境制御システムは、対象部屋へ吹き出す給気の風量を調節するように構成された給気バルブと、前記対象部屋から吸い出す排気の風量を調節するように構成された一般排気バルブと、前記対象部屋に設置された局所排気装置と、この局所排気装置の排気風量を調節するように構成された局所排気バルブと、外部からの指示に応じて前記給気バルブと前記一般排気バルブと前記局所排気バルブとを一斉に全て閉じた一斉シャットオフの状態とするように構成されたシャットオフ制御部と、前記局所排気装置が使用状態か否かを判定するように構成された判定部と、前記局所排気装置が使用状態に入ったと前記判定部が判定し、かつ前記給気バルブと前記一般排気バルブと前記局所排気バルブとが前記一斉シャットオフの状態のときに、前記一斉シャットオフの状態を解除して前記給気バルブと前記一般排気バルブと前記局所排気バルブとを開くシャットオフ解除部とを備えることを特徴とするものである。
【００１１】
また、本発明の環境制御システムの１構成例において、前記判定部は、前記局所排気装置のサッシの開口部高さが所定の閾値を下回っているときには前記局所排気装置が使用されていないと判定し、前記サッシの開口部高さが前記閾値以上のときには前記局所排気装置が使用されていると判定することを特徴とするものである。
また、本発明の環境制御システムの１構成例において、前記局所排気装置に設けられた人検知センサをさらに備え、前記判定部は、前記人検知センサが人の存在を検知しないときには前記局所排気装置が使用されていないと判定し、前記人検知センサが人の存在を検知したときには前記局所排気装置が使用されていると判定することを特徴とするものである。
また、本発明の環境制御システムの１構成例において、前記局所排気装置に設けられた照度センサをさらに備え、前記判定部は、前記照度センサによる明るさの検知結果から前記対象部屋の照明が消えていると判断できる場合には前記局所排気装置が使用されていないと判定し、前記照度センサの検知結果から前記対象部屋の照明が点灯していると判断できる場合には前記局所排気装置が使用されていると判定することを特徴とするものである。
【００１２】
また、本発明の環境制御システムの１構成例において、前記判定部は、前記対象部屋の照明スイッチがオフの場合には前記局所排気装置が使用されていないと判定し、前記照明スイッチがオンの場合には前記局所排気装置が使用されていると判定することを特徴とするものである。
また、本発明の環境制御システムの１構成例において、前記判定部は、在室管理システムから得られる在室情報により前記対象部屋の在室人数が０と判断できる場合には前記局所排気装置が使用されていないと判定し、前記在室情報から前記対象部屋に人が居ると判断できる場合には前記局所排気装置が使用されていると判定することを特徴とするものである。
【００１３】
また、本発明の環境制御方法は、対象部屋の局所排気装置の排気風量を調節する局所排気バルブを、外部からの指示に応じて閉じたシャットオフの状態とする第１のステップと、前記局所排気装置が使用状態か否かを判定する第２のステップと、前記局所排気装置が使用状態に入ったと前記第２のステップで判定し、かつ前記局所排気バルブが前記シャットオフの状態のときに、前記シャットオフの状態を解除して前記局所排気バルブを開く第３のステップとを含むことを特徴とするものである。
【００１４】
また、本発明の環境制御方法は、対象部屋へ吹き出す給気の風量を調節する給気バルブと前記対象部屋から吸い出す排気の風量を調節する一般排気バルブと前記対象部屋の局所排気装置の排気風量を調節する局所排気バルブとを、外部からの指示に応じて一斉に全て閉じた一斉シャットオフの状態とする第１のステップと、前記局所排気装置が使用状態か否かを判定する第２のステップと、前記局所排気装置が使用状態に入ったと前記第２のステップで判定し、かつ前記給気バルブと前記一般排気バルブと前記局所排気バルブとが前記一斉シャットオフの状態のときに、前記一斉シャットオフの状態を解除して前記給気バルブと前記一般排気バルブと前記局所排気バルブとを開く第３のステップとを含むことを特徴とするものである。
【発明の効果】
【００１５】
本発明によれば、局所排気バルブがシャットオフの状態に入っている場合でも、局所排気装置が使用状態に入った場合には、シャットオフの状態を解除して即座に排気を開始するため、局所排気装置の使用者が有害物質に曝されてしまう可能性を低減することができる。
【００１６】
また、本発明では、給気バルブと一般排気バルブと局所排気バルブとが一斉シャットオフの状態に入っている場合でも、局所排気装置が使用状態に入った場合には、一斉シャットオフの状態を解除して即座に給排気を開始するため、局所排気装置の使用者が有害物質に曝されてしまう可能性を低減することができる。
【図面の簡単な説明】
【００１７】
【図１】本発明の実施例に係る環境制御システムの構成を示すブロック図である。
【図２】本発明の実施例に係る局所排気用のコントローラの構成例を示すブロック図である。
【図３】本発明の実施例に係る給気用のコントローラの構成例を示すブロック図である。
【図４】本発明の実施例に係る一般排気用のコントローラの構成例を示すブロック図である。
【図５】本発明の実施例に係るシャットオフ制御用のコントローラの構成例を示すブロック図である。
【図６】本発明の実施例に係る環境制御システムのシャットオフ解除動作を説明するフローチャートである。
【発明を実施するための形態】
【００１８】
以下、本発明の実施例について図面を参照して説明する。図１は本発明の実施例に係る環境制御システムの構成を示すブロック図である。本実施例の環境制御システムは、部屋１００内に設置されたヒュームフード１０１と、ヒュームフード１０１に接続された局所排気ダクト１０２と、部屋１００に給気を供給する給気ダクト１０３と、部屋１００の空気を排気する一般排気ダクト１０４と、局所排気ダクト１０２の風量を調整する局所排気バルブＥＸＶと、給気ダクト１０３の風量を調整する給気バルブＭＡＶと、一般排気ダクト１０４の風量を調整する一般排気バルブＧＥＸと、局所排気バルブＥＸＶを制御するコントローラ１０５と、給気バルブＭＡＶを制御するコントローラ１０６と、一般排気バルブＧＥＸを制御するコントローラ１０７と、システム全体を制御するコントローラ１０８と、各コントローラ１０５，１０６，１０７，１０８を互いに接続する通信線１０９とから構成される。
【００１９】
ヒュームフード１０１は、開閉可能なサッシ１１０と、サッシ１１０の開度を検出するサッシセンサ１１１と、検知範囲に人がいるかどうかを検出する人検知センサ１１２と、ヒュームフード１０１の使用者に情報を通知するためと緊急時に強制的にフード内の空気を排気できるようにするためのヒュームフードモニタ１１３と、照度センサ１１４とを備えている。
【００２０】
図２はコントローラ１０５の構成例を示すブロック図、図３はコントローラ１０６の構成例を示すブロック図、図４はコントローラ１０７の構成例を示すブロック図、図５はコントローラ１０８の構成例を示すブロック図である。
コントローラ１０５は、局所排気バルブＥＸＶを制御する排気風量制御部１０５０と、局所排気バルブＥＸＶの個別シャットオフを行うシャットオフ制御部１０５１と、ヒュームフード１０１および局所排気バルブＥＸＶの状態をコントローラ１０８に通知する状態通知部１０５２とを備えている。
【００２１】
コントローラ１０６は、給気バルブＭＡＶを制御する給気風量制御部１０６０を備えている。コントローラ１０７は、一般排気バルブＧＥＸを制御する排気風量制御部１０７０を備えている。
【００２２】
コントローラ１０８は、局所排気バルブＥＸＶと給気バルブＭＡＶと一般排気バルブＧＥＸの一斉シャットオフを行うシャットオフ制御部１０８０と、ヒュームフード１０１が使用状態か否かを判定するヒュームフード使用判定部１０８１と、個別シャットオフまたは一斉シャットオフを解除するシャットオフ解除部１０８２とを備えている。
【００２３】
次に、本実施例の環境制御システムの通常時の風量バランス制御動作について説明する。ここでは、給気ダクト１０３から吹き出す給気の風量をＶｍａｖ、一般排気ダクト１０４で吸い出す排気の風量をＶｇｅｘ、局所排気ダクト１０２で吸い出す排気の風量をＶｅｘｖとする。
【００２４】
コントローラ１０５の排気風量制御部１０５０は、ヒュームフード１０１のサッシ開口面積に基づいて、サッシ面の面風速が規定値となるように風量Ｖｅｘｖを定め、局所排気ダクト１０２の排気風量がＶｅｘｖとなるように局所排気バルブＥＸＶの開度を制御する。ヒュームフード１０１のサッシ開口面積は、サッシセンサ１１１が検出するサッシ開度から求めることができるサッシ１１０の開口部高さと、既知のサッシ幅との乗算により決定することができる。
【００２５】
コントローラ１０７の排気風量制御部１０７０は、総排気風量（Ｖｇｅｘ＋Ｖｅｘｖ）が一定となるように、サッシ開閉による排気風量Ｖｅｘｖの変動分だけ、風量Ｖｇｅｘを増減させ、一般排気ダクト１０４の排気風量がＶｇｅｘとなるように制御出力値を出して一般排気バルブＧＥＸの開度を制御する。
【００２６】
コントローラ１０６の給気風量制御部１０６０は、部屋１００の使用時の最低換気風量を満足させるよう、少なくとも最低風量を常に吹き出すように風量Ｖｍａｖを決定し、給気ダクト１０３の給気風量がＶｍａｖとなるように制御出力値を出して給気バルブＭＡＶの開度を制御する。
【００２７】
以上のような風量の設定の仕方により、ヒュームフード１０１が使用されていないとき（すなわち、サッシ１１０が全閉のとき）、式（１）が成立する。
Ｖｍａｖ＝Ｖｇｅｘ＋α                                          ・・・（１）
【００２８】
定数αは、部屋１００から漏れていく風量を決定すると共に、部屋１００を正圧にするか負圧にするかを決定するためのオフセット風量である。ヒュームフード１０１が使用されているときには、式（２）が成立する。
Ｖｍａｖ＝Ｖｇｅｘ＋Ｖｅｘｖ＋α                                ・・・（２）
【００２９】
以上の風量バランス制御動作によれば、ヒュームフード１０１のサッシ１１０の開閉に伴って局所排気風量Ｖｅｘｖが変更されたときに、この変更に伴って給気風量Ｖｍａｖと排気風量Ｖｇｅｘが変更される。
【００３０】
次に、局所排気バルブＥＸＶを個別にシャットオフ位置まで閉じる個別シャットオフについて説明する。局所排気バルブＥＸＶを制御するコントローラ１０５には、局所排気バルブＥＸＶを強制的に閉じるための接点入力端子１０５３が設けられている。例えば局所排気バルブＥＸＶの動作を確認しようとする作業者が接点入力端子１０５３に接続されているスイッチ１０５４をオンからオフに操作して、接点入力がオフになると、コントローラ１０５のシャットオフ制御部１０５１は、局所排気バルブＥＸＶをシャットオフ位置まで閉じる。
【００３１】
次に、一時的に不使用になった部屋１００を省コストで運用するため、あるいは部屋１００を減菌・消毒するために、給気バルブＭＡＶと一般排気バルブＧＥＸと局所排気バルブＥＸＶとを一斉にシャットオフ位置まで閉じる一斉シャットオフについて説明する。コントローラ１０８のシャットオフ制御部１０８０は、一斉シャットオフ動作開始信号が発生したときに、一斉シャットオフ動作を始める。
【００３２】
コントローラ１０８には、一斉シャットオフ動作のための接点入力端子１０８３が設けられている。例えば部屋１００を減菌・消毒しようとする作業者が接点入力端子１０８３に接続されているスイッチ１０８４をオンからオフに操作して、接点入力がオフになると、一斉シャットオフ動作開始信号が発生する。
【００３３】
また、一斉シャットオフ動作開始信号は、例えばヒュームフード１０１のサッシ１１０が一定時間以上全閉の状態のときに、図示しない生成部によって生成されるようにしてもよいし、ヒュームフード１０１の人検知センサ１１２が一定時間以上人の存在を検知しないときに、生成部によって生成されるようにしてもよいし、部屋１００内に人が存在するか否かを示す在室情報を在室管理システムから取得して、部屋１００の在室人数が一定時間以上０のときに、生成部によって生成されるようにしてもよい。在室管理システムは、例えば人が所持している無線タグ等を利用して人の入退室を管理するものである。このような在室管理システムは周知であるので、詳細な説明は省略する。
【００３４】
シャットオフ制御部１０８０は、一斉シャットオフ動作開始信号が発生すると、局所排気バルブＥＸＶと給気バルブＭＡＶと一般排気バルブＧＥＸとを一斉にシャットオフ位置まで閉じる。具体的には、シャットオフ制御部１０８０は、通信線１０９を介してコントローラ１０５，１０６，１０７に一斉シャットオフ信号を送信する。この一斉シャットオフ信号に応じて、コントローラ１０５，１０６，１０７は、それぞれ局所排気バルブＥＸＶ、給気バルブＭＡＶ、一般排気バルブＧＥＸを全閉状態にする。
なお、一斉シャットオフ動作の詳細な処理は特許文献１に開示されているので、詳細な説明は省略する。
【００３５】
次に、本実施例の特徴的な動作であるシャットオフ解除動作について説明する。図６はシャットオフ解除動作を説明するフローチャートである。
コントローラ１０８のヒュームフード使用判定部１０８１は、ヒュームフード１０１が使用されているか否かを常時判定する（図６ステップＳ１）。このヒュームフード使用判定部１０８１の判定方法の詳細については後述する。
【００３６】
コントローラ１０８のシャットオフ解除部１０８２は、ヒュームフード１０１が使用状態に入ったとヒュームフード使用判定部１０８１が判定し（ステップＳ１においてＹＥＳ）、かつ局所排気バルブＥＸＶが個別シャットオフの状態に入っているときには（図６ステップＳ２においてＹＥＳ）、通信線１０９を介してコントローラ１０５に個別シャットオフ解除信号を直ちに送信する（図６ステップＳ３）。
【００３７】
この個別シャットオフ解除信号に応じて、コントローラ１０５の排気風量制御部１０５０は、局所排気バルブＥＸＶを開いて、上記のようにヒュームフード１０１のサッシ開口面積に応じた局所排気バルブＥＸＶの開度制御を再開する（図６ステップＳ４）。なお、局所排気バルブＥＸＶが個別シャットオフの状態に入っているか否かは、コントローラ１０５の状態通知部１０５２からコントローラ１０８へ送信される情報に基づいて判断することができる。
【００３８】
また、シャットオフ解除部１０８２は、ヒュームフード１０１が使用状態に入ったとヒュームフード使用判定部１０８１が判定し（ステップＳ１においてＹＥＳ）、かつ部屋１００に設置された全てのバルブが一斉シャットオフの状態に入っているときには（図６ステップＳ５においてＹＥＳ）、通信線１０９を介してコントローラ１０５，１０６，１０７に一斉シャットオフ解除信号を直ちに送信する（図６ステップＳ６）。
【００３９】
この一斉シャットオフ解除信号に応じて、コントローラ１０５の排気風量制御部１０５０は局所排気バルブＥＸＶを開き、コントローラ１０６の給気風量制御部１０６０は給気バルブＭＡＶを開き、コントローラ１０７の排気風量制御部１０７０は一般排気バルブＧＥＸを開く。これにより、上記のような風量バランス制御動作が再開される（図６ステップＳ７）。
【００４０】
環境制御システムの動作が終了するまで（図６ステップＳ８においてＹＥＳ）、以上のようなステップＳ１〜Ｓ７の処理が一定の周期ごとに繰り返し行われる。
【００４１】
本実施例では、局所排気バルブＥＸＶが個別シャットオフの状態に入っている場合でも、ヒュームフード１０１が使用状態に入った場合には、個別シャットオフを解除して即座に排気を開始するため、ヒュームフード１０１の使用者が有害物質に曝されてしまう可能性を低減することができる。
【００４２】
同様に、本実施例では、室内の全てのバルブＥＸＶ，ＭＡＶ，ＧＥＸが一斉にシャットオフの状態に入っている場合でも、ヒュームフード１０１が使用状態に入った場合には、一斉シャットオフを解除して即座に給排気を開始するため、使用者が有害物質に曝されてしまう可能性を低減することができる。
【００４３】
なお、コントローラ１０５には、スイッチ１０５４がオフ状態で、接点入力がオフのままになっていても、コントローラ１０８からの個別シャットオフ解除信号を優先し、個別シャットオフを解除する機能が必要である。同様に、コントローラ１０８には、スイッチ１０８４がオフ状態で、接点入力がオフのままになっていても、シャットオフ解除部１０８２の動作を優先し、一斉シャットオフを解除する機能が必要である。
【００４４】
次に、ヒュームフード使用判定部１０８１の判定方法について説明する。ヒュームフード使用判定部１０８１は、ヒュームフード１０１のサッシ１１０の開口部高さが所定の閾値を下回っているときにはヒュームフード１０１が使用されていないと判定し、サッシ１１０の開口部高さが閾値以上のときにはヒュームフード１０１が使用されていると判定する。ヒュームフード１０１のサッシ１１０の状態情報は、コントローラ１０５の状態通知部１０５２からコントローラ１０８へ送信される。
【００４５】
また、ヒュームフード使用判定部１０８１は、ヒュームフード１０１に取り付けられた人検知センサ１１２が人の存在を検知しないときにはヒュームフード１０１が使用されていないと判定し、人検知センサ１１２がヒュームフード１０１の前に居る人の存在を検知したときにはヒュームフード１０１が使用されていると判定するようにしてもよい。サッシ１１０の状態情報と同様に人検知センサ１１２の検知結果は、コントローラ１０５の状態通知部１０５２からコントローラ１０８へ送信される。
【００４６】
また、ヒュームフード使用判定部１０８１は、ヒュームフード１０１に取り付けられた照度センサ１１４による明るさの検知結果から部屋１００の照明が消えていると判定される場合にはヒュームフード１０１が使用されていないと判定し、照度センサ１１４の検知結果から部屋１００の照明が点灯していると判定される場合にはヒュームフード１０１が使用されていると判定するようにしてもよい。サッシ１１０の状態情報と同様に照度センサ１１４の出力情報は、コントローラ１０５の状態通知部１０５２からコントローラ１０８へ送信される。
【００４７】
また、ヒュームフード使用判定部１０８１は、部屋１００の照明スイッチ１１５がオフで部屋１００の照明が消えていると判定される場合にはヒュームフード１０１が使用されていないと判定し、照明スイッチ１１５がオンで部屋１００の照明が点灯していると判定される場合にはヒュームフード１０１が使用されていると判定するようにしてもよい。
【００４８】
また、ヒュームフード使用判定部１０８１は、在室管理システムから得られる在室情報により部屋１００の在室人数が０と判定される場合にはヒュームフード１０１が使用されていないと判定し、在室情報から部屋１００に人が居ると判断される場合にはヒュームフード１０１が使用されていると判定するようにしてもよい。
以上のようにして、本実施例では、ヒュームフード１０１が使用されているか否かを判定することができる。
【００４９】
本実施例で説明したコントローラ１０５，１０６，１０７，１０８の各々は、ＣＰＵ（Central Processing Unit）、記憶装置及びインタフェースを備えたコンピュータと、これらのハードウェア資源を制御するプログラムによって実現することができる。各々のコントローラのＣＰＵは、記憶装置に格納されたプログラムに従って本実施例で説明した処理を実行する。
【００５０】
なお、本実施例では、局所排気装置の１例としてヒュームフードを示したが、安全キャビネットやドラフトチャンバーなど、ヒュームフードと同様の役割を果たす局所排気装置にも本発明を適用可能である。
また、本実施例では、部屋１００に設置されている局所排気装置が１台の場合について説明したが、複数台の局所排気装置が設置されている場合にも本発明を適用可能である。
【産業上の利用可能性】
【００５１】
本発明は、環境制御システムに適用することができる。
【符号の説明】
【００５２】
１００…部屋、１０１…ヒュームフード、１０２…局所排気ダクト、１０３…給気ダクト、１０４…一般排気ダクト、１０５，１０６，１０７，１０８…コントローラ、１０９…通信線、１１０…サッシ、１１１…サッシセンサ、１１２…人検知センサ、１１３…ヒュームフードモニタ、１１４…照度センサ、１１５…照明スイッチ、１０５０，１０７０…排気風量制御部、１０５１，１０８０…シャットオフ制御部、１０５２…状態通知部、１０５３，１０８２…接点入力端子、１０６０…給気風量制御部、１０８１…ヒュームフード使用判定部、１０８２…シャットオフ解除部、ＥＸＶ…局所排気バルブ、ＭＡＶ…給気バルブ、ＧＥＸ…一般排気バルブ。
【図１】
2018146152.tif 000003
【図２】
2018146152.tif 000004
【図３】
2018146152.tif 000005
【図４】
2018146152.tif 000006
【図５】
2018146152.tif 000007
【図６】
2018146152.tif 000008